(57)【要約】【課題】吐水部が先端側の吐水ヘッドと基端側のヘッドホルダとを含んで構成されていて、吐水ヘッドが可撓性のホースとともに引出可能とされた水栓において、吐水部を通常の吐水管と同様の外観形態で構成することを可能とする。またヘッドホルダ内部に水が浸入したときにこれを良好に外部に排出できるようにする。【解決手段】先端側の吐水ヘッド及び吐水ヘッドを保持するとともにホースを挿通させてその移動案内をなすホースガイドとしてのヘッドホルダ３６とを有する水栓の吐水部を、ホースの移動案内をなす内管９４と、内管９４との間に空間９６を形成する状態で内管９４を外側から覆う外管としてのカバー管９８とを有する２重管構造の一体成形品として構成する。そしてヘッドホルダ３６には、内管９４の内面からカバー管の外面に到る貫通の水抜孔１００を設けるとともに、空間９６と水抜孔１００とを連通させる連通路１０２を設けておく。【選択図】        図１２
2004150218.tif 000002
【特許請求の範囲】
【請求項１】
可撓性のホースが接続され、該ホースとともに引出可能とされた吐水ヘッドと、管状をなして取付面より外部に突き出す状態で設けられ、先端側で該吐水ヘッドを保持するとともに該ホースを挿通させて該ホースの移動案内をなすホースガイドとしてのヘッドホルダとを有する水栓の吐水部であって、前記ヘッドホルダを、前記ホースを挿通させて該ホースの移動案内をなす内管と、該内管との間に空間を形成する状態で該内管を外側から覆う外管としてのカバー管とを有する２重管構造の一体成形品として構成したことを特徴とする水栓の吐水部。
【請求項２】
請求項１において、前記ヘッドホルダには前記内管の内面から前記カバー管の外面に到る貫通の水抜孔を設けて、該内管の内部に侵入した水を該水抜孔から排出するようになすとともに、該内管及び前記カバー管との間の空間と該水抜孔とを連通させる連通路を設けて、該空間に入り込んだ水を該連通路を通じ該水抜孔から外部に排出するようになしたことを特徴とする水栓の吐水部。
【請求項３】
請求項１，２の何れかにおいて、前記吐水部が、縦の取付壁の前面の壁面を取付面として該取付壁から突き出した吐水管を構成しており、前記ヘッドホルダにおけるカバー管が該吐水管の外観の一部を構成していることを特徴とする水栓の吐水部。
【発明の詳細な説明】
【０００１】
【発明の属する技術分野】
この発明は水栓の吐水部に関し、詳しくは可撓性のホースの接続された吐水ヘッドが引出可能な形態のものに関する。
【０００２】
【従来の技術及び発明が解決しようとする課題】
従来、吐水口を備えてその吐水口からの吐水を行う吐水ヘッドを、これに接続した可撓性のホースとともに引出可能となした水栓が洗髪洗面用水栓，キッチン用水栓等として広く用いられている。
従来これらの水栓は、通常洗面ボウルやシンク等より奥部の水平な取付面から起立する状態で設けられている。
【０００３】
図１４はこの種水栓の従来の一例を示している。
同図において２００は取付基体としてのカウンターで、このカウンター２００に対し、水栓本体２０２と吐水部２０４とが離隔した位置において取付固定されている。
水栓本体２０２には水，湯のサプライ管２０６が接続されており、それらサプライ管２０６を通じて水栓本体２０２に水と湯とが供給される。
【０００４】
水栓本体２０２は、供給された水と湯とをハンドル２０８の操作に基づいて所定比率で混合し、その混合水を流出管２１０を通じて外部に流出する。
この流出管２１０には可撓性のホース２１２が接続されており、混合水がこのホース２１２を通じて後述の吐水ヘッド２１４に送られる。
【０００５】
吐水部２０４はこの吐水ヘッド２１４と、これを保持する管状且つ湾曲形状のヘッドホルダ２１６とを有している。
このヘッドホルダ２１６にはスライド管２１８が一体的に昇降する状態で連結されており、このスライド管２１８が、外周面に雄ねじを有するガイド管２２０内にスライド可能に挿通されている。
【０００６】
吐水ヘッド２１４は下面に吐水口２２２を備え、またその前面には吐水口２２２からの吐水を整流吐水からシャワー吐水に若しくはその逆に切り替える切替操作部２２４を備えている。
この吐水ヘッド２１４には、スライド管２１８，ヘッドホルダ２１６内を挿通したホース２１２の先端部が接続されており、吐水ヘッド２１４がこのホース２１２とともにヘッドホルダ２１６から引出可能とされている。
【０００７】
従来、この種水栓における吐水部のヘッドホルダは、下記特許文献１に開示されているように、基端から先端に到るまで基本的に単管の構成とされている（図１５参照）。
尚、図１５中２１８はヘッドホルダ２１６の先端部に装着された、ヘッドホルダとは別体の吐水ヘッド２１４の嵌合保持部である。
【０００８】
ところで、水栓の一種として縦の取付壁から吐水管が前方に突き出し、その先端の吐水口から吐水する形態のものが広く用いられている。
而して図１４，図１５に示す吐水部をこの種水栓の、縦の取付壁から突出する吐水管に適用することを考えたとき、即ち図１４，図１５の吐水部をそのような吐水管として構成することを考えたとき、従来の形態の吐水部ではこれを実現することは難しい。
【０００９】
図１４，図１５の吐水部をそのような吐水管として構成するには吐水ヘッド２１４の大径部が目立たないようにその基端から先端に到るまで吐水部２０４の太さを太くすること、従ってヘッドホルダ２１６を全長に亘って太くすることが望ましいが、ヘッドホルダ２１６が単管構成である限りこれは難しい。
ヘッドホルダ２１６の管を太くするとホース２１２の移動案内を良好になし得ず、逆に移動案内を良好になすべくホース２１２に対応した太さに構成すれば、外観上これを吐水管の一部として構成することは難しい。
【００１０】
尚、下記特許文献２には吐水ヘッドを保持する部分を一見２重壁構造としたものが開示されているが、その２重壁構造部分は、洗面設備のバックガード部内部に引き込んで設けられており、かかる特許文献２に開示のものでは本発明の目的を達成することはできない。
【００１１】
【特許文献１】
特開２００１−３１１１８８号公報
【特許文献２】
特許第３２７６０５１号公報
【００１２】
【課題を解決するための手段】
本発明の水栓の吐水部はこのような課題を解決するために案出されたものである。
而して請求項１のものは、可撓性のホースが接続され、該ホースとともに引出可能とされた吐水ヘッドと、管状をなして取付面より外部に突き出す状態で設けられ、先端側で該吐水ヘッドを保持するとともに該ホースを挿通させて該ホースの移動案内をなすホースガイドとしてのヘッドホルダとを有する水栓の吐水部であって、前記ヘッドホルダを、前記ホースを挿通させて該ホースの移動案内をなす内管と、該内管との間に空間を形成する状態で該内管を外側から覆う外管としてのカバー管とを有する２重管構造の一体成形品として構成したことを特徴とする。
【００１３】
請求項２のものは、請求項１において、前記ヘッドホルダには前記内管の内面から前記カバー管の外面に到る貫通の水抜孔を設けて、該内管の内部に侵入した水を該水抜孔から排出するようになすとともに、該内管及び前記カバー管との間の空間と該水抜孔とを連通させる連通路を設けて、該空間に入り込んだ水を該連通路を通じ該水抜孔から外部に排出するようになしたことを特徴とする。
【００１４】
請求項３のものは、請求項１，２の何れかにおいて、前記吐水部が、縦の取付壁の前面の壁面を取付面として該取付壁から突き出した吐水管を構成しており、前記ヘッドホルダにおけるカバー管が該吐水管の外観の一部を構成していることを特徴とする。
【００１５】
【作用及び発明の効果】
以上のように本発明は、ヘッドホルダを内管及びその内管との間に空間を形成する状態でこれを外側から覆う外管としてのカバー管とを有する２重管構造の一体成形品として構成したもので、本発明によれば、その内管によってホースを良好に移動案内することができる一方で、カバー管によってヘッドホルダを外観上太く構成することが可能となる。
【００１６】
特に本発明では内管とカバー管との間に空間を形成する形態でカバー管を構成しているため、効果的にカバー管を太く構成でき、従って本発明によれば吐水ヘッドとこれを保持するヘッドホルダとで、従来一般の吐水管、即ち基端から先端に到るまで１つの連続した管から成る形態の吐水管と同様の外観を有する吐水部を容易に構成することができる。
【００１７】
ここで本発明の吐水部は、縦の取付壁の前面の壁面を取付面としてそこから突き出した吐水管を構成し、ヘッドホルダにおけるカバー管にて吐水管の外観の一部を構成するようになすことができる（請求項３）。
【００１８】
ここで吐水管を構成する吐水部は、管体が基端から先端に到るまでほぼ一様な太さ（平面形状又は及び側面形状において）か又は太さが基端から先端にかけて滑らかに連続して細くなる形状としておくことができる。
【００１９】
本発明に従ってヘッドホルダを内管とカバー管との間に空間を形成する２重管構造とした場合、ホースの移動案内をなす内管の内部に水が浸入する恐れがあるとともに、内管とカバー管との空間にもまた水が浸入する恐れがある。
【００２０】
ここにおいて請求項２のものは、内管の内面からカバー管の外面に到る貫通の水抜孔を設け、更に内管とカバー管との間の空間とその水抜孔とを連通させる連通路を設けたもので、本発明によれば、内管の内部に侵入した水及び内管とカバー管との間の空間に侵入した水の両方を、共通の水抜孔を通じて外部に排出することができる。
これにより内部に侵入した水がそこに溜まり、腐って臭気を発生するといった不具合を良好に防止することができる。
【００２１】
尚、内管の内部の水を排出する水抜孔と、内管とカバー管との間の空間の水を排出する水抜孔とを別々に設けることも考えられるが、この場合ヘッドホルダに別々の孔が開くこととなって外観上見苦しくなってしまう。
しかるに本例では１つの水抜孔を設けておくだけで良いため、外観を良好に保つことができる。
【００２２】
【実施例】
次に本発明を、洗面化粧台に設置される洗髪洗面用水栓に適用した場合の実施例を図面に基づいて詳しく説明する。
図１及び図２において、１０は洗面化粧台で洗面器１２とその下側のキャビネット１４と、洗面器１２の後部において垂直に立ち上がる取付壁１６とを有している。
ここで洗面器１２と取付壁１６とは樹脂製で、取付壁１６はこの洗面器１２に一体に成形されている。
そしてその取付壁１６の前面の垂直な壁面を取付面として、本例の水栓１８が取り付けられている。
【００２３】
本例の水栓１８はシングルレバー式の水栓であって、図３に示しているように左右に離隔して取付壁１６に取り付けられた水栓本体２０と、吐水管（吐水部）２２とを有している。
水栓本体２０は取付壁１６の前面の壁面からほぼ水平に前方に突き出しており、その前部にレバー式のハンドル２４が設けられている。
【００２４】
ハンドル２４は下向きに垂下する主操作部としてのレバー部２６を有しており、またその上部には副操作部２８が設けられている。
この水栓１８では、ハンドル２４を使用者から見て左右に回動操作することで吐水の温度調節が行われ、またレバー部２６を持ってハンドル２４を前後回動操作することで吐止水及び吐水の水量調節が行われる。
【００２５】
詳しくは、図５に示すようにこの例ではレバー部２６を使用者側の前方に引くことで吐水が開始され或いは吐水の水量が増大する。また逆にレバー部２６を後方に押すことで水量の減少及び止水が行われる。
但し本例のハンドル２４の場合、その上部に副操作部２８が設けられていて、この副操作部２８を押動操作することによっても吐水開始操作或いは水量増大操作を行い得るようになっている。
ここで副操作部２８には滑止めのため、即ち操作力を効率的にハンドル２４に伝えるための複数の突起３０が設けられている。
【００２６】
上記吐水管２２は、図１１に示しているようにその管体の横断面形状が略横長の四角形状（厳密には上面が若干上方に膨出した湾曲形状）をなしており、且つ基端から先端に到るまでほぼ一様な太さで形成されている。
【００２７】
また基端と先端との間の中間位置、詳しくは基端と先端との間の中央よりも基端側、つまり取付壁１６側に偏った位置において軸方向に２分割されており、先端側が下面に吐水口３２を有する吐水ヘッド３４として、また基端側の基管部がこれを保持するヘッドホルダ３６として構成されている。
【００２８】
そしてこのヘッドホルダ３６により、吐水ヘッド３４がセット位置に保持されるようになっている。
このヘッドホルダ３６には、図６に示しているようにその内部に可撓性のホース４２が挿通されており、そのホース４２の先端部が吐水ヘッド３４に接続され、かかるホース４２が吐水ヘッド３４とともにヘッドホルダ３６から引出可能とされている。
【００２９】
図１２には、そのヘッドホルダ３６の構成が具体的に示してある。
同図に示しているようにヘッドホルダ３６は、その基端に大径のフランジ９２を有しており、そのフランジ９２において取付壁１６の前面の壁面に取付固定されている。
【００３０】
このヘッドホルダ３６は、内管９４と、その内管９４との間に空間９６を形成する状態で内管９４をその外側から覆う外管としてのカバー管９８とを有する２重管構造をなしており、それら内管９４とカバー管９８とが樹脂の一体成形品として構成されている。
上記可撓性のホース４２はその内管９４内部を挿通しており、かかる内管９４によってホース４２の移動案内がなされるようになっている。
【００３１】
一方カバー管９８は、円筒形状をなす内管９４とは異なった断面形状、即ちその断面形状が横長の略四角形状をなしており、かかるカバー管９８が吐水管２２における基端側の一部を外観上構成している。
即ちヘッドホルダ３６にこのようなカバー管９８を設けることで、吐水ヘッド３４におけるヘッドカバー４０とともに通常一般に吐水管と認識される１本の長い管を外観上構成している。
尚このヘッドホルダ３６の前端面は、図１２（Ａ）に示しているように開放形状をなしている。
【００３２】
図６及び図１２（Ａ），（Ｃ）に示しているように、２重管構造を成すヘッドホルダ３６には、その基端側且つ下部において、内管９４の内面からカバー管９８の外面に到る貫通の水抜孔１００が形成されている。
そしてこの水抜孔１００によって、ホース４２を伝い内管９４内部に侵入した水が外部へと排出可能となっている。
【００３３】
一方内管９４とカバー管９８との間の上記空間９６は、図１２（Ｃ）に示しているようにその奥部において連通孔１００により水抜孔１００に連通している。
従って前面の開放部から内管９４とカバー管９８との間の空間９６に水が浸入した場合であっても、その浸入した水は連通孔１０２を通じ水抜孔１００から外部へと排出される。
【００３４】
従ってそれら内管９４の内部、また空間９６の内部に水が浸入することがあっても、それらがヘッドホルダ３６内部で滞留し、臭気を発生するようになるのを防止することができる。
【００３５】
図６に示しているように、吐水ヘッド３４はヘッド本体３８と、ヘッドカバー４０とを有しており、それらを組み付けて構成してある。
【００３６】
図１に示しているように、取付壁１６の裏側には水，湯のサプライ管４６が配管されていて、それらの上端部が水栓本体２０に接続され、水，湯がそれらサプライ管４６を通じて水栓本体２０へと供給されるようになっている。
【００３７】
水栓本体２０に供給された水，湯はそこで所定比率に混合され、その混合水が取付壁１６裏側の流出管４８を通じて流出する。
そしてその流出管４８に接続された可撓性のホース４２を通じて上記の吐水管２２、詳しくは先端側の吐水ヘッド３４へと導かれる。
【００３８】
図６に示しているように、ヘッド本体３８は先端に吐水口用の開口５０を、またこの吐水口用の開口５０に続いて内部水路５２を有しており、ホース４２を通じて送られて来た水（混合水，湯を含む）が、この内部水路５２を通じて吐水口用の開口５０に導かれ、更に吐水口３２から下向きに吐水される。
【００３９】
一方ヘッドカバー４０は、前端壁５３を有する筒状形態で形成されている。
詳しくはこのヘッドカバー４０は前端が閉鎖、後端が開放形状の筒形状をなしており、その後端の開放部からヘッド本体３８が内部に挿入されて組み付けられている。
【００４０】
ヘッドカバー４０の先端部下面には吐水口形成用の開口５４が形成されており、その吐水口形成用の開口５４において筒状の吐水口部材５６が装着されている。
ここで吐水口部材５６は、ヘッド本体３８に設けられた雌ねじ筒５８に止ビス６０をねじ込むことによって、開口５４内に嵌り込む状態でヘッド本体３８に固定されている。
【００４１】
この吐水口部材５６の下面にはシャワー孔６２が中心回りに多重円をなすように配置されており、シャワーホース４２を通じて送られて来た水が、これらシャワー孔６２から下方にシャワー水として噴射されるようになっている。
【００４２】
図７〜図１０に吐水ヘッド３４におけるヘッド本体３８とヘッドカバー４０との組付構造が詳しく示してある。
図８（Ａ）に示しているように、ヘッドカバー４０の上部内面には一対の溝形成板６６が下向きに突き出す状態で前後方向に平行に設けられており、それら溝形成板６６によって、内側に前後方向に延びるガイド溝６８が形成されている。
【００４３】
一方ヘッド本体３８には、ガイド溝６８に対応する位置において前後方向に延びる板状のガイド突条７０が上向きに突出する状態で設けられている。
ヘッド本体３８は、ヘッドカバー４０への挿入時にこの突条７０がガイド溝６８内に嵌入し且つ前後に摺動することによって、ヘッドカバー４０への挿入時の挿入案内がなされる。
【００４４】
図７に示しているように、ヘッドカバー４０の下部には掛止突起７２が上向きに突出形成されている。
一方ヘッド本体３８の対応する位置には、ヘッド本体３８の挿入時にこの掛止突起７２を弾性的に乗り越えた上で、その掛止突起７２に対し抜止方向に掛止する弾性を有する掛止爪７４が形成されており、それら掛止突起７２と掛止爪７４との掛止作用に基づいて、ヘッドカバー４０に挿入されたヘッド本体３８が、ヘッドカバー４０から抜止めされるようになっている。
【００４５】
このヘッド本体３８にはまた、その前端部に押圧ばね片７６が一体に成形されており、ヘッド本体３８の挿入完了状態で、この押圧ばね片７６がヘッドカバー４０の前端壁５３に当接して弾性変形し、ヘッド本体３８を図中右向き、即ちヘッド本体３０の挿入方向とは反対の後退方向に付勢している。
即ちここでは前端壁５３が、押圧ばね片７６を当接させる当接部となっている。
【００４６】
そしてその付勢力によって掛止突起７２と掛止爪７４とが強固な掛止状態に保持され、これによりヘッド本体３８が図７中前後方向にがたつきなくしっかりと保持されている。
【００４７】
ヘッド本体３８にはまた、ヘッドカバー４０内においてヘッド本体３８の姿勢を予め定めた姿勢に規制するための多数の姿勢規制用の突起が設けられている。
即ち、ヘッド本体３８における前部の大径部７８の縁部には下向きの突起８０と両側面に左右一対の突起８３（図８（Ａ）参照）が、また挿入案内用の突条７０に前後一対の突起８２が、また図７，図９，図１０に示すように基端側のフランジ部８４の外周部に沿って複数の突起８６がそれぞれ形成されており、各突起８０，８２，８３，８６が、それぞれヘッドカバー４０の内面にそれぞれ当接するようになっている。即ちここではヘッドカバー４０の内面の各部が、それら突起を当接させる被当接部として構成されている。
【００４８】
そして本例では、これら突起８０，８２，８３，８６のヘッドカバー４０内面への当接作用によって、更には各突起８０，８２，８３，８６が永久変形することによって、ヘッドカバー４０内部に挿入されたヘッド本体３８の姿勢が予め定めた正しい姿勢に拘束保持される。
【００４９】
尚、図７に示しているように上記掛止突起７２及び掛止爪７４は、ヘッドカバー４０における開口５４の近傍に配置されており、ヘッドカバー４０に組み付けられたヘッド本体３８を、ヘッドカバー４０から取り出す際には、その開口５４からドライバ等の工具を差し込んで、弾性を有する掛止爪７４を上向きに押し上げ、掛止突起７２に対する掛止を解除することで、ヘッド本体３８をヘッドカバー４０から容易に抜き出すことができる。
【００５０】
本例の吐水ヘッドの場合、ヘッドカバー４０に対しヘッド本体３８をその後端の開放部から前方に押し込んで挿入するだけで、簡単にヘッド本体３８をヘッドカバー４０に組み付けることができる。
【００５１】
即ち図１１に示しているようにヘッド本体３８をヘッドカバー４０の後端の開放部から挿入すると、あるところでヘッド本体３８の掛止爪７４が、ヘッドカバー４０の掛止突起７２を弾性的に乗り越え、そして乗り越えた先で掛止爪７４が掛止突起７２に掛止した状態となって、ヘッド本体３８がヘッドカバー４０から後退方向に抜止めされる。
【００５２】
本例の場合、内管９４によってホース４２を良好に移動案内することができる一方で、カバー管９８によってヘッドホルダ３６を外観上太く構成することが可能となる。
【００５３】
特に本例は内管９４とカバー管９８との間に空間９６を形成する形態でカバー管９８を構成しているため、効果的にカバー管９８を太く構成でき、吐水ヘッド３４とこれを保持するヘッドホルダ３６とで、基端から先端に到るまで１つの連続した管から成る従来形態の吐水管と同様の外観を有する吐水管２２を容易に構成することができる。
【００５４】
本例に従ってヘッドホルダ３６を、内管９４とカバー管９８との間に空間９６を形成する２重管構造とした場合、ホース４２の移動案内をなす内管９４の内部に水が浸入する恐れがあるとともに、内管９４と外管との空間９６にもまた水が浸入する恐れがある。
【００５５】
しかし本例では、内管９４の内面からカバー管９８の外面に到る貫通の水抜孔１００を設け、更に内管９４とカバー管９８との間の空間９６とその水抜孔１００とを連通させる連通孔１０２を設けてあるため、内管９４の内部に侵入した水及び空間９６の内部に侵入した水の両方を、共通の水抜孔１００を通じて外部に排出することができる。
これにより内部に侵入した水が溜まり、腐って臭気を発生するといった不具合を良好に防止することができるとともに、１つの水抜孔１００を設けておくだけで良いため、外観を良好に保つことができる。
【００５６】
以上本発明の実施例を詳述したがこれはあくまで一例示であり、本発明はその趣旨を逸脱しない範囲において種々変更を加えた形態で構成可能である。
【図面の簡単な説明】
【図１】本発明の一実施例の吐水部を水栓とともに洗面化粧台に取り付けた状態でこれを裏側から示す図である。
【図２】図１の洗面化粧台の要部断面図である。
【図３】同実施例の吐水部を含む水栓を取付状態において正面から見た図である。
【図４】図３の水栓の一作用状態を示す図である。
【図５】図３の水栓本体をハンドルとともに示す図である。
【図６】図３の吐水部の縦断面図である。
【図７】同実施例の吐水部の吐水ヘッドの縦断面図である。
【図８】（Ａ）：同実施例の吐水部における吐水ヘッドの横断面図である。
（Ｂ）：（Ａ）とは異なった位置の横断面図である。
【図９】同実施例の吐水部における吐水ヘッドのヘッド本体の斜視図である。
【図１０】同実施例の吐水部における吐水ヘッドのヘッド本体の平面図及び正面図である。
【図１１】図３の吐水部の外形形状を具体的に示した図である。
【図１２】図６におけるヘッドホルダの構成を具体的に示したもので、（Ａ）は正面図、（Ｂ）は開口の正面視の図、（Ｃ）は（Ａ）のＣ−Ｃ断面図である。
【図１３】同実施例の吐水部における吐水ヘッドの組付方法の説明図である。
【図１４】従来の吐水部を含む水栓をカウンターに取り付けた状態の図である。
【図１５】従来公知の吐水部の要部を示した図である。
【符号の説明】
１６  取付壁
２２  吐水管（吐水部）
３４  吐水ヘッド
３６  ヘッドホルダ
４２  ホース
９４  内管
９６  空間
９８  カバー管
１００  水抜孔
１０２  連通孔
【図１】
2004150218.tif 000003
【図２】
2004150218.tif 000004
【図３】
2004150218.tif 000005
【図４】
2004150218.tif 000006
【図５】
2004150218.tif 000007
【図６】
2004150218.tif 000008
【図７】
2004150218.tif 000009
【図８】
2004150218.tif 000010
【図９】
2004150218.tif 000011
【図１０】
2004150218.tif 000012
【図１１】
2004150218.tif 000013
【図１２】
2004150218.tif 000014
【図１３】
2004150218.tif 000015
【図１４】
2004150218.tif 000016
【図１５】
2004150218.tif 000017